(57)【要約】【課題】軽量化することが可能で、転覆し難く、また、転覆しても元の状態に復帰し易い引き船を提供する。【解決手段】本発明に係る引き船は、魚を収容する本体３を有している。そして、本体３の上部側にはフロート部５が設けられると共に、本体３の底部側には、水に浮かんだ本体３が転覆ないしは傾いたときに、水が残るよう水溜部１０が形成されていることを特徴とする。【選択図】    図２
2006075015.tif 000002
【特許請求の範囲】
【請求項１】
魚を収容する本体を有する引き船において、
前記本体の上部側に設置されたフロート部と、
前記本体の底部側に設置され、水に浮かんだ本体が転覆ないしは傾いたときに、水が残る水溜部と、
を有することを特徴とする引き船。
【請求項２】
前記水溜部は、水が流入する流入部を有すると共に、流入部より上部側に水が溜まる空間部を有することを特徴とする請求項１に記載の引き船。
【請求項３】
前記水溜部は、前記本体の底部中央に設けられていることを特徴とする請求項１又は２に記載の引き船。
【請求項４】
前記水溜部は、前記本体の底部の両サイドに設けられていることを特徴とする請求項１又は２に記載の引き船。
【請求項５】
前記両サイドに設けられた水溜部の内、一方の水溜部は、前記本体が転覆したときに水が排出されることを特徴とする請求項４に記載の引き船。
【請求項６】
前記一方の水溜部には、上部側に通水孔が形成されていることを特徴とする請求項５に記載の引き船。
【請求項７】
前記フロート部は、前記本体の中央線に対して対称となるように設置されることを特徴とする請求項１から６のいずれか１項に記載の引き船。
【発明の詳細な説明】
【技術分野】
【０００１】
本発明は、主に、鮎釣りや渓流釣り等の魚釣りで使用され、魚を生かしたまま収容できる引き船に関する。
【背景技術】
【０００２】
従来、例えば魚釣りにおいて、魚を生かしたまま保蔵できる引き船が使用されている。一般的に、鮎釣り等に使用される引き船は、内部に水が流れ込めるように多数の流水孔（水取り入れ口）が形成されており、ロープの一端を人体に取り付け、他端を引き船の本体に取り付けることで、流れに浮かべた状態で内部に水を流通させ、これにより、おとり鮎を生かしておくよう構成されている。
【０００３】
上記したように、引き船は、魚を生きたまま収容し、人体に付けたロープにより水の流れの中で係留した状態で使用されるが、釣人の移動等により、引き船が渦に入ってしまった場合、或いは浅瀬で引き流す場合等、傾いたり転覆し易くなり、一旦転覆してしまうと通常の使用状態に戻り難いという問題がある。通常、引き船が転覆してしまうと、水の抵抗が大きくなって疲労してしまうことに加え、収納した魚も弱り易くなってしまうことから、転覆し易い引き船を使用すると、常に引き船の状態が気になってしまい、釣りに集中できない等の問題がある。
【０００４】
そこで、例えば、特許文献１に開示されているように、引き船本体の底部の中央側にバランス部材（金属の錘）を設け、本体に装着される蓋体の両サイドに大きさの異なるフロートを設置して浮力を異にした構成が紹介されている。
【特許文献１】実公平５−３４５３９号公報
【発明の開示】
【発明が解決しようとする課題】
【０００５】
しかしながら、本体の底部に金属製の錘を取り付けると、水中での安定性は増すものと考えられるが、持ち運びが重く不便になるという問題がある。また、左右のフロートの大きさを異ならせて浮力を異にしたのでは、水中に浮かべた使用状態では、浮力バランスが崩れ、かえって転覆し易いという問題がある。
【０００６】
本発明は、上記した問題に基づいてなされたものであり、軽量化することが可能で、転覆し難く、また、転覆しても元の状態に復帰し易い引き船を提供することを目的とする。
【課題を解決するための手段】
【０００７】
上記した目的を達成するために、本発明に係る引き船は、魚を収容する本体を有しており、前記本体の上部側に設置されたフロート部と、前記本体の底部側に設置され、水に浮かんだ本体が転覆ないしは傾いたときに、水が残る水溜部とを有することを特徴とする。
【０００８】
上記した構成の引き船は、本体にロープを取り付け、そのロープを釣人に装着することで使用される。渓流で使用される場合、本体は、ロープに引かれた状態で、前記フロート部の浮力によって水に浮かんだ状態となり、前記水取り入れ口から本体内部に、川の流れによる水が流入することから、本体内に収容される魚を生かしておくことが可能となる。また、本体の底部には、水溜部が形成されており、本体が転覆ないしは傾いたときに、ここに水が残ることで錘としての役目を果たすようになる。すなわち、転覆時においては、下側に位置する前記フロート部との間でアンバランスな要因となり、元の状態に復帰し易くなる。このように、水溜部に溜まった水が錘としての機能を果たすことから、従来のような大きな錘を予め本体内に取着しておく必要が無く、持ち運び時に負荷となるようなことは無い。
【０００９】
なお、本発明は、水溜部に溜まる水が、従来の構成の錘としての全ての機能、或いは錘としての一部の機能を果たせば良く、従来のような金属製の錘を装着することを完全に排除するものではない。このため、本体の一部に、部分的に比重の重い錘を取着するような構成であっても良い。
【発明の効果】
【００１０】
本発明によれば、軽量化を図ることができ、転覆し難く、また、転覆しても元の状態に復帰し易い引き船が得られるようになる。
【発明を実施するための最良の形態】
【００１１】
図１から図４は、本発明に係る引き船の一実施形態を示す図であり、図１は、使用状態を示す図、図２は、全体斜視図、図３は、図２のＡ−Ａ線に沿った断面図、そして、図４は、図３のＢ−Ｂ線に沿った断面図である。なお、図３では、魚投入口及び蓋体等は省略されている。
【００１２】
通常、引き船１は、図１に示すように、釣人１００の腰ベルト１０１に一端が取り付けられたロープ１０２に係留することで使用される。引き船１は、プラスチック等で成形された船形形状の本体３を備えており、本体３は、上部３ａ、側壁３ｂ、底部３ｃ及び後壁３ｄによって、鮎などの魚を保蔵する内部空間（収容部Ｓ）が形成されている。本体３の上部３ａの裏面の両サイドには、長手方向に亘って比重が軽く水に浮く材料（例えば、合成樹脂、発泡材、木材等）や空室部によって形成された引き船１に浮力を持たせるためのフロート部５が設けられている。このフロート部５は、水の流れの中で、ロープで係留された状態で本体３を、上部３ａを上方にして左右に傾かないように安定して浮かんだ状態に維持できるように取着されているのが好ましく、本実施形態では、本体３の上部３ａの裏面において、舳先から両サイドの後壁に至る領域に亘って、本体３の中央線に対して左右対称となるように取着されている。
【００１３】
このようなフロート部５の構成によって、本体３は、図１に示すように、水面Ｐ附近に上方領域が位置した状態で、水の流れの中で安定して係留される。なお、本実施形態の引き船１は、水面Ｐから上方領域が突出した状態で水の流れの中で安定して浮かんでいる。
【００１４】
前記本体３の上部３ａには、公知のように、直径方向で閉塞／開口される魚を投入する魚投入口７の円形の開閉板７ａと、内部から魚を取り出し易くする魚取り出し口８を閉塞する蓋部材８ｃが設けられている。蓋部材８ｃは、上部３ａの一部を構成しており、蝶番８ａによって回動可能に支持されると共に、舳先部分に設けられた開閉操作体８ｂを操作することで、蝶番８ａを中心として後壁側に向けて開放できるよう構成されている。また、前記開閉板７ａは、蓋部材８ｃに設けられており、蓋部材８ｃを開放しなくても、魚を収容部Ｓに投入できるように構成されている。
【００１５】
前記側壁３ｂの前方側の両サイドには、夫々水を収容部Ｓに取り入れる水取り入れ口９が形成されており、収容部Ｓに、常時、水が流通できるよう構成される。
【００１６】
また、本実施形態では、底部３ｃの収納部Ｓに面する中央部分に、水を溜めることができる水溜部１０が突出形成されている。この水溜部１０は、通常は空洞部として構成されているが、本体３が転覆したときに、水が溜まって錘としての機能が発揮できるように構成されたものであれば良く、本実施形態では、底部３ｃの前端部から後壁に至る領域に延出して形成される円筒状の部材（円筒部１２）で構成されている。この円筒部１２は、本体３と共に一体形成されており、その前端面の略中央には、水が流入する流入部となる入水孔１２ａが形成され、後端面の略中央には、水が流出する流出部となる排水孔１２ｂが形成されている。
【００１７】
なお、本実施形態では、円筒部１２の後端面は、前記本体３の後壁３ｄに一体化されており、排水孔１２ｂが前記水取り入れ口９から流入した水を排出する機能を備えている。すなわち、水取り入れ口９から流入した水は、円筒部１２の入水孔１２ａを介して内部を流れ、排出孔１２ｂから流出することで、収容部Ｓ内を水が流通するように構成されている。この場合、ロープ１０２を持って引き船１を、その後壁３ｄを下方にしてぶら下げて釣り場を移動すると、円筒部１２の入水孔１２ａから後壁３ｄまでの間の収容部Ｓに水を残すことができ、収容した魚を生かしておくことができる。ただし、水の流通を良好にするために、収容部Ｓ内の水を排出するための排出孔は、後壁３ｄ部分に形成しておいても良い。
【００１８】
前記円筒部１２は、内部が空洞状となっており、この部分に水が溜まることで錘としての機能を発揮するようになる。すなわち、前記入水孔１２ａ及び排出孔１２ｂは、各端面の中央部分に形成されていることから、図４の点線で示すように、本体３が転覆したときに、各入水孔１２ａ及び排出孔１２ｂよりも下側（転覆前の状態では、入水孔１２ａ及び排出孔１２ｂの上側）が水の溜まる空間部Ｓ１となり、転覆時にこの空間部Ｓ１に水が残った状態が維持されるようになる。
【００１９】
上記した構成の引き船によれば、以下のような作用効果が得られる。  
図１に示す通常の使用状態では、水は、水取り入れ口９から流入した後、円筒部１２の入水孔１２ａを介して排出孔１２ｂから流出するようになり、これにより収容部Ｓ内に水が流通する状態となる。この状態で本体３は、上記したフロート部５の構成、及び設置位置によって安定して係留されるため、転覆し難くなり、釣人は、引き船の状況を気にすることなく魚釣りに集中することができる。
【００２０】
そして、このような使用状況において、引き船１が不安定になり、転覆しそうになった場合、水溜部１０が水が溜まった状態で水面Ｐから上方に露出すると、これが錘として機能し、転覆する前に元の安定して浮いた状態に戻すよう作用する。また、引き船１が転覆した場合、図４の点線で示すように、底部３ｃが水面Ｐから露出した状態となり、かつ水溜部である円筒部１２内に溜まっている水は、入水孔１２ａ及び排出孔１２ｂから流出するものの、図に示すように、それより下に溜まった水（空間部Ｓ１に溜まった水）はそのまま残った状態となる。そして、この水は、錘としての機能を発揮するようになり、激しい水の流れの中で転覆した状態で浮かんでいる本体３にとってはアンバランス要素となる。すなわち、フロート部５が水中に沈み、かつ水溜部１０が本体３の最上部となる中央に位置していることから、激しい水の流れによって、本体３が図４の矢印方向に回動すると、水溜部１０による錘は、本体３のアンバランスな要因となり、その重さによる回転モーメントによって、容易に上部３ａを上方にして浮いた使用状態に復帰することが可能となる。
【００２１】
このように、上記した構成では、錘として機能する水溜部を、予め本体３と共に空洞状の円筒部によって形成し、かつ、ここに水を溜めることで錘としての機能を発揮させることから、予め、従来のような重たい金属製の錘を本体３の中に取着しておく必要がなくなり、通常の持ち運び時において負荷となるようなことはない。
【００２２】
なお、上記した入水孔１２ａ及び排出孔１２ｂの位置を変えることで、水が溜まる量（重さ）を調整することが可能である。例えば、両者の位置を通常時において、両端面の下方側に形成しておくことで、転覆時に水溜部から排出する水の量が少なくなって、重量を重くすることも可能である。そして、釣りを終えた時は、後壁３ｄを下にしておけば、水溜部１０の水は排出孔１２ｂから流出し、残らないようにすることができる。
【００２３】
また、上記した構成では、水溜部１０は、本体３の底部３ｃの１箇所に形成していることから、魚を保蔵する収容空間Ｓを大きく取ることが可能となる。また、円筒部１２は、本体３と一体形成したが、本体３とは別体に形成して本体３に取着しても良い。
【００２４】
図５から図８は、本発明の第２の実施形態を示す図であり、図５は、全体斜視図、図６は、図５のＣ−Ｃ線に沿った断面図、図７は、図５のＤ−Ｄ線に沿った断面図、そして、図８は、図７のＥ−Ｅ線に沿った断面図である。
【００２５】
この実施形態では、水が溜められる水溜部２０を、本体３の底部３ｃの両サイドの略中央から後端側に延出するように形成している。各水溜部２０は、前記実施形態と同様、本体３と共に円筒状の部材（円筒部２２Ａ，２２Ｂ）で構成されており、前端面及び後端面の略中央には、入水孔２２ａ及び排水孔２２ｂが夫々形成されている。
【００２６】
各円筒部２２Ａ，２２Ｂは、内部が空洞状となっており、前記入水孔２２ａ及び排水孔２２ｂよりも下側の空間部Ｓ１に水が溜まることで、錘としての機能を発揮するようになる。この場合、一方の円筒部２２Ｂには、本体３が転覆したときに、空間部Ｓ１に溜まっている水を排出するための手段、具体的には、円筒部２２Ｂの上部３ａ側に面した部分に水出し孔（通水孔）２３が形成されている。すなわち、この水出し孔２３は、図８の点線で示すように、本体３が転覆したときに、円筒部２２Ｂの空間部Ｓ１に溜められた水を排出する。
【００２７】
このような構成によれば、引き船１が転覆した場合、図８の点線で示すように、底部３ｃが水面から露出した状態となり、かつ水溜部である両円筒部２２Ａ，２２Ｂの空間部Ｓ１に溜まっている水は、一方の円筒部２２Ｂは水出し孔２３から流出するものの、他方の円筒部２２Ａはそのまま残った状態となる。この残った水は、錘としての機能を発揮するようになり、激しい水の流れの中で転覆した状態で浮かんでいる本体３にとってはアンバランス要素となる。すなわち、転覆時においては、一方の円筒部２２Ｂ側で重量偏倚した状態となっていることから、上記した実施形態よりも本体３は、よりアンバランスな状況となり、激しい水の流れによって、本体３が図８の矢印方向に回動すると、その重量による回転モーメントによって、より容易に使用状態に復帰することが可能となる。
【００２８】
このように、複数形成された水溜部の内、本体３の転覆時に、いずれかの水溜部内の水が排出できるように構成することで、容易にアンバランスな状況を創設することができ、転覆した本体３を容易に復帰させることが可能となる。また、各水溜部２０を、本体３の底部３ｃに、左右対称となるように形成したことで、通常使用時において、重量バランスが低下することがなくなって転覆し難くなると共に、大きく傾いたとしても（一方の水溜部が水面より高い位置に持ち上げられたとき等）、その持ち上げられた部分に溜まっている水の重さによる回転モーメントによって、転覆が生じ難くなる。この場合、前記水出し孔２３は、円筒部２２Ｂの上部３ａ側に形成したことで、転覆時においてのみ水を排出することが可能となり、大きく傾いたときには、水を排出しないため、転覆防止の効果が維持されるようになる。
【００２９】
なお、上記した構成において、水溜部２０が形成される位置や、水を排出する水溜部の設置箇所については、適宜変形することが可能である。
【００３０】
図９及び図１０は、本発明の第３の実施形態を示す図であり、図９は、全体斜視図、図１０は、中央部分の断面図である。
【００３１】
この実施形態では、上記した第２の実施形態の水溜部２０を左右同一な円筒部２２で構成している。このような構成では、両サイドの水溜部に溜まった水は、本体が大きく傾いても排出されることがないため、本体が大きく傾いたときの元に戻そうとするモーメントが大きく作用して転覆し難くなると共に、通常の使用状態において、収容部Ｓ内に流入する水は、底部３ｃの左右に設置された水溜部２２内に流れるようになり、本体３の内部での水の流通経路が安定することから、本体３が傾き難くなり、転覆を防止する効果がより大きくなる。また、本体３の転覆状態から使用状態に復帰させることについては、上記した第１、第２実施形態ほど大きくないものの、転覆状態では上方が水溜部によって重くなるため復帰し易くなる。
【００３２】
以上、本発明の実施形態について説明したが、本発明では、従来装着されている金属製の錘としての機能を、空洞の水溜部によって構成したことに特徴があり、その水溜部の形状、設置位置等については、適宜変形することが可能である。例えば、水溜部は、底部３ｃの一方のサイドに形成しておいても良い。また、水溜部以外の本体３の形状、構成等については、適宜変形することが可能である。さらに、本体３に、上記した公知技術のような重たい錘を装着するのではなく、通常使用時において、転覆し難いようにバランスを取るための比較的軽い重量物を適宜配設しても良い。
【図面の簡単な説明】
【００３３】
【図１】本発明に係る引き船の使用状態を示す図。
【図２】引き船の全体斜視図。
【図３】図２のＡ−Ａ線に沿った断面図。
【図４】図３のＢ−Ｂ線に沿った断面図。
【図５】本発明の第２の実施形態を示す図であり、全体斜視図。
【図６】図５のＣ−Ｃ線に沿った断面図。
【図７】図５のＤ−Ｄ線に沿った断面図。
【図８】図７のＥ−Ｅ線に沿った断面図。
【図９】本発明の第３の実施形態を示す図であり、全体斜視図。
【図１０】中央部分の断面図。
【符号の説明】
【００３４】
１  引き船
３  本体
３ａ  上部
３ｃ  底部
５  フロート部
９  水取り入れ口
１０，２０  水溜部
１２，２２，２２Ａ，２２Ｂ  円筒部
１２ａ，２２ａ  入水孔
１２ｂ，２２ｂ  排水孔
２３  水出し孔
【図１】
2006075015.tif 000003
【図２】
2006075015.tif 000004
【図３】
2006075015.tif 000005
【図４】
2006075015.tif 000006
【図５】
2006075015.tif 000007
【図６】
2006075015.tif 000008
【図７】
2006075015.tif 000009
【図８】
2006075015.tif 000010
【図９】
2006075015.tif 000011
【図１０】
2006075015.tif 000012